(57)【特許請求の範囲】
【請求項１】
ＯＨＰシートをセットできる少なくとも１つのＯＨＰトレイと、合紙用紙がセットできる複数の用紙トレイと、前記ＯＨＰトレイのサイズと同サイズの合紙用紙が収容された用紙トレイを選択する選択手段と、前記用紙トレイの合紙用での使用優先順を予め設定する第１の設定手段と、ＯＨＰ合紙機能を指定するＯＨＰ合紙機能指定手段とを具備し、前記ＯＨＰ合紙機能によるコピー動作において合紙用紙サイズがＯＨＰシートのサイズと異なっている場合、ＯＨＰシートもしくは合紙用紙の後端をレジストローラから送り出したことを検出して合紙用紙もしくはＯＨＰシートを給紙するようにしたことを特徴とする複写装置。
【発明の詳細な説明】
【０００１】
【発明の属する技術分野】
本発明は複写装置に係り、特にＯＨＰシートコピー時おける合紙を自動的に行うことができる複写装置に関するものである。
【０００２】
【従来の技術】
近年、複写装置に要望される機能は多様化、複雑化を増しつつあり、その中の１つにＯＨＰ合紙機能がある。
【０００３】
ＯＨＰ合紙機能とは、主にオーバーヘッドプロジェクター（ ＯＨＰ）に用いるＯＨＰシートへ原稿をコピーする際、複数枚のＯＨＰシートへ連続的にコピーを行うときに、コピー排出されるＯＨＰシートの間に自動的に紙を挿入（合紙）する機能である。この機能を有する複写装置は次のような手順で機能を実行している。まず、複写装置の所定の給紙口にＯＨＰシートをセットし、セットしたＯＨＰシートのサイズ並びに縦横方向が同一である用紙を他の給紙口にセットする。叉は合紙として使用する用紙の入っている他の給紙口をコントロールパネルからキー操作にて選択指定する。次にコントロールパネルからキー操作にてＯＨＰ合紙機能を設定しコピースタートキーを押すと、最初に合紙用紙の入っている給紙口から用紙を給紙し排出され、その後ＯＨＰシートをセットしている給紙口からＯＨＰシートを給紙し排出する。複数枚の原稿がある場合で、複写装置に自動原稿給送装置がセットされている場合は前述の動作が連続的に行われ、合紙用紙、ＯＨＰシート、合紙用紙、ＯＨＰシートと排出されていく動作となる（特開平４−３１７０７８参照）。図１２は従来のＡＤＦを用いたＯＨＰ合紙コピー動作のフローチャートである。この制御方法は合紙用の用紙を給紙した後にＯＨＰシートを給紙するタイミングと、このＯＨＰシートが給紙された後に次の用紙が給紙される給紙切り換えタイミングが、先に送り出した用紙もしくはシートが排紙センサを抜けるまで次のシートもしくは用紙を給紙しないというものである。
【０００４】
【発明が解決しようとする課題】
しかしながら上記従来のＯＨＰ合紙機能は、ＯＨＰシートをセットする所定の給紙口を手差しに限定し、合紙の給紙口を給紙口選択キーにより指定するのが一般的であった。手差し給紙口の用紙サイズ検出は、用紙幅方向のみ検出しておき、コピー動作中に用紙通過センサの用紙通過時間を測定する機能を用いることで用紙の長手方向を検出して用紙サイズを判定するのが一般的である。しかしながらこのような構成ではユーザーがＯＨＰ合紙機能を指定した際に手差しにＯＨＰシートをセットしても、コピー動作を実行させない限り該セットしたＯＨＰシートと同一のサイズの用紙が入っている給紙口を自動選択する機能が実現できないという問題を有していた。
【０００５】
そのため、取扱い説明書に「ＯＨＰシートを手差しにセットし、サイズを指定してください」または「合紙はＯＨＰシートと同じサイズをセットしてください」の旨の注意を記載して使用するようにしていた。
【０００６】
また、ユーザーにとってこの機能を使用するときは、ＯＨＰシートのセットする方向と合紙の用紙サイズを間違えないようにするといった細心の注意を払うという煩わしさがあった。そして、取扱い説明書にも「間違って合紙サイズをＯＨＰシートより大きいサイズの用紙の入った給紙口を選ぶとコピー動作中に紙詰まりになります」の旨の注意を記載していた。
【０００７】
さらに、ユーザーによってはＯＨＰシートを含め、カラー紙や厚紙といった特殊紙をコピーする場合があり、ＯＨＰ合紙機能指定時はこうした特殊紙の入っている給紙口から合紙として給紙されては困るといった問題を有していた。
【０００８】
一方、取扱い説明書の「間違って合紙サイズをＯＨＰシートより大きいサイズの用紙の入った給紙口を選ぶとコピー動作中に紙詰まりになります」の旨の注意を記載していた通り、実際にこの設定をしてコピー動作させると紙詰まりで停止してしまうという不具合があった。
【０００９】
本発明は上記従来の課題を解決するもので、ユーザーとって使い勝っての良いＯＨＰシートコピー時における合紙動作を自動的に行うことができる複写装置を提供する事を目的とする。
【００１０】
【課題を解決するための手段】
この課題を解決するために本発明の複写装置は、ＯＨＰシートをセットできる少なくとも１つのＯＨＰトレイと、合紙用紙がセットできる複数の用紙トレイと、前記ＯＨＰトレイのサイズと同サイズの合紙用紙が収容された用紙トレイを選択する選択手段と、前記用紙トレイの合紙用での使用優先順を予め設定する第１の設定手段と、ＯＨＰ合紙機能を指定するＯＨＰ合紙機能指定手段とを具備し、前記ＯＨＰ合紙機能によるコピー動作において合紙用紙サイズがＯＨＰシートのサイズと異なっている場合、ＯＨＰシートもしくは合紙用紙の後端をレジストローラから送り出したことを検出して合紙用紙もしくはＯＨＰシートを給紙するように構成したものである。
【００１６】
【発明の実施の形態】
本発明の請求項１に記載の発明は、ＯＨＰシートをセットできる少なくとも１つのＯＨＰトレイと、合紙用紙をセットできる少なくとも１つの合紙用紙トレイと、前記ＯＨＰトレイのサイズと同サイズの合紙用紙が収容された合紙用紙トレイを選択する選択手段と、前記合紙用紙トレイの使用優先順を予め設定する第１の設定手段と、ＯＨＰ合紙機能を指定するＯＨＰ合紙機能指定手段とを具備し、前記ＯＨＰ合紙機能によるコピー動作において合紙用紙サイズがＯＨＰシートのサイズと異なっている場合、ＯＨＰシートもしくは合紙用紙の後端をレジストローラから送り出したことを検出して合紙用紙もしくはＯＨＰシートを給紙するようにしたものであり、用紙搬送動作における用紙間隔を短縮することができ、複数枚の連続コピー時におけるコピープロダクティビティを向上することができるといった作用を有する。
【００２３】
以下本発明の一実施例について図面を参照しながら説明する。本実施例は複写装置に適用したもので、複写機本体と、その複写機本体に装着されるオプションの自動原稿給送装置（以下ＡＤＦと略記す。）で構成されるものである。
【００２４】
複写機本体は、複数の給紙口を有し、その中で少なくとも１つの給紙口はＯＨＰシートをセットすることができ、コントロールパネルにより設定した条件でコピー動作を行う。
【００２５】
複写装置は図１に示すように、複写機本体１にオプションのＡＤＦ２が取り付けられており、コントロールパネル３によって設定されたコピー条件指定に従ってオプションを含めた複写装置全体の制御を行い、ＡＤＦ２で送られた原稿を読み取り、画像処理を設定された給紙口から供給される用紙またはＯＨＰシートに施して排紙トレイ４に搬送排出するように構成されている。
【００２６】
ＡＤＦ２には原稿を載置するための原稿トレイ５が設けられており、コピースタートにより載置した原稿を１枚づつ複写機本体１のプラテンガラス６へ送り出すようになっている。
【００２７】
つぎに複写機本体１の構成を図２を用いて説明する。複写機本体１の内部には感光ドラム７が配置されており、感光ドラム７の軸には図示していない駆動機構により動作時には矢印方向に回転するようになっている。感光ドラム７の外周には除電ランプ８、帯電器９、現像ユニット１０、転写・分離帯電器１１、ＬＥＤアレー１２、クリーニングブレード１３が配置されている。ＬＥＤアレー１２は不要な画像をコピー用紙に転写させないように、感光ドラム７に作像された潜像を除去するためのものである。
【００２８】
感光ドラム７が矢印方向に回転するにつれて除電ランプ８によって一様に帯電された後、光学ユニット部１４からの原稿読み取り光照射を受け、静電潜像を感光ドラム７上に形成する。光学ユニット部１４は原稿を載置するためのプラテンガラス６、原稿を照らす露光ランプ１５、露光ランプ１５を原稿全面に照射させるために移動させるための図示しない露光ランプユニット駆動機構、露光ランプ１５により光照射された原稿面の反射光を感光ドラム７へ伝達するための複数のミラ−１６、１７、１８、及び光学レンズ１９が配置された構成になっている。
【００２９】
光照射は図示されるように露光ランプ１５を基点に原稿、ミラー１６、１７、光学レンズ１９、ミラー１８を介して感光ドラム７へ原稿読み取り光として照射される。このようにして静電潜像が形成された感光ドラム７は、そののち現像ユニット１０で現像される。この現像により感光ドラム７に形成されたトナー像は転写・分離帯電器１１により、給紙ユニット部から給紙されたコピー用紙に転写され、定着器２０で熱定着された後排紙ローラ２１によって排紙トレイ４に排出される。
【００３０】
一方、感光ドラム７はクリーニングブレード１３によって転写されずに残ったトナーがかきおとされ、すなわちクリーニングされて再使用に供される。
【００３１】
コピー用紙をセットする給紙部は、手差しトレイ２２、手差し給紙ローラ２３、レジストローラ２４、給紙カセット２５、２６、２７並びにそれぞれのカセットより給紙を行う給紙ローラ２８、２９、３０及び給紙ローラにより送出された用紙をレジストローラ２４へ送り出すための中間ローラ３１、３２、３３によって構成されている。手差しトレイ２２には、複数の手差し用紙のサイズ検出センサ３４が装備されている。なお本発明の実施例では手差しトレイ２２はＯＨＰシートが使用可能である。また３５はレジストセンサである。
【００３２】
図３に示すコントロールパネル３６は、ユーザーが本複写装置を動作させるために操作及び設定内容を表示するユニットである。コントロールパネル３６は、スタートキー３７、給紙口選択キー３８、ＯＨＰ合紙モード機能を選択指定する操作キー３９、設定枚数、倍率、原稿サイズ、用紙サイズ、給紙口等の指定をリセットするためのリセットキー４０、コピー設定枚数等の数値を入力するテンキー４１、コピー停止や数値をクリアするためのクリアストップキー４２、倍率値等のアップをおこなうアップキー４３、およびダウンをおこなうダウンキー４４、各種モード設定を行うためのユーザーモードキー４５、原稿サイズ、用紙サイズ設定のキー４６、４７と、各種機能の設定状態を示すためのＬＥＤによる表示器４８によって構成されている。４９は選択された給紙カセットや手差しトレイを表示する表示部である。
【００３３】
通常コピーを行う場合、まず原稿をＡＤＦ２に載置しコントロールパネル３６上のスタートキー３７を押す。すると原稿をＡＤＦが給送し、同サイズの用紙を給紙カセットからレジストローラー２４に送出し、このレジストローラー部に設けられたレジストセンサ３５によりコピー用紙到達検出後、光学ユニット部からの原稿読み取り光が感光ドラム７に照射され、レジストローラ２４で用紙送り出しタイミングがはかられて所定のタイミングで搬送され、現像及び定着後に排出される。
【００３４】
次に本発明の機能に関する説明をする。本発明の機能は以下に示す１３項の機能を組み合わせて実現して行く。
（１）ＯＨＰ合紙モードコピー動作機能。
（２）ＯＨＰ合紙サイズを基準とした同サイズ用紙給紙選択機能。
（３）給紙口指定情報リセット機能。
（４）優先給紙口選択機能。
（５）複数の給紙口優先順設定／記憶機能。
（６）自動選択禁止給紙口設定機能。
（７）コピー中の自動給紙口切換え機能。
（８）ＯＨＰ合紙モード時における優先給紙口選択機能の組み合わせにより実現される自動合紙給紙口選択機能。
（９）ＯＨＰ合紙モード時における複数の給紙口優先順設定／記憶機能の組み合わせにより実現される自動合紙給紙口選択機能。
（１０）ＯＨＰ合紙モード時における自動選択禁止給紙口設定機能との組み合わせにより実現される自動合紙給紙口選択機能。
（１１）ＯＨＰ合紙モード時におけるコピー中の自動給紙口切換え機能との組み合わせにより実現される自動合紙給紙口選択機能。
（１２）ＯＨＰ合紙機能設定状態中の、キー操作による所定の給紙口選択禁止機能。
（１３）ＯＨＰシートをレジストローラから送出し排出されるまでの間に、合紙用紙を合紙用紙トレイから給紙を行う、もしくは合紙用紙をレジストローラから送出し排出されるまでの間に、ＯＨＰシートの給紙を行う機能。
【００３５】
つぎにこれら個々の機能について説明する。
まず（１）項のＯＨＰ合紙機能について説明する。本実施例の複写装置では以下の操作を行うことによりＯＨＰ合紙コピー動作が行われる。原稿をプラテンガラス６上に載置し、手差しトレイ２２へＯＨＰシートをセットし、給紙カセット２５へＡ４用紙をセットする。次にコントロールパネル３６の操作キー３９でＯＨＰ合紙機能を指定する。するとコントロールパネル上の表示部４９にＯＨＰ給紙口２２と合紙給紙口２５が自動選択されていることを示す表示をする。このあとコピースタートキー３７でコピー動作を指示すると、まず合紙給紙口２５から用紙を１枚給送し、通常コピー動作と同じ搬送経路を通り現像、定着を経て排紙トレイ４へ搬出される。次いでＯＨＰ給紙口２２からＯＨＰシートを給紙し、通常コピー動作と同じ搬送経路を通って現像、定着を経て排紙トレイ４へ搬出される。
【００３６】
ＡＤＦ２が接続されている場合には、原稿を前記プラテンガラス６上に載置する代わりにＡＤＦの原稿トレイ５に載置して手差しトレイ（給紙口）２２へＯＨＰシートをセットし、給紙カセット２５へＡ４用紙をセットする。そしてコントロールパネル３６の操作キー３９でＯＨＰ合紙機能を指定する。するとコントロールパネル上の表示部４９に手差しトレイ（ＯＨＰ給紙口）２２と、合紙給紙口２５が自動選択され、自動選択されていることを示す表示をする。このあとコピースタートキー３７でコピー動作を指示すると、まずＡＤＦ２が原稿を１枚プラテンガラス６上に給送し、そののち合紙給紙口２５から用紙を１枚給送し通常コピー動作と同じ搬送経路を通り現像、定着を経て排紙トレイ４へ搬出される。次いでＯＨＰ給紙口２２からＯＨＰシートを給紙し、通常コピー動作と同じ搬送経路を通って現像、定着を経て排紙トレイ４へ搬出され、その後ＡＤＦが原稿排出すると同時に次の原稿を給送し前述の一連の動作を繰り返して、ＡＤＦ２の原稿トレイ５に原稿がなくなるまで動作を続ける。
【００３７】
以上がＯＨＰ合紙コピー動作の一連の動作であるが、合紙給紙口は給紙カセット２５の代わりに給紙カセット２６、２７を用いても良く、ＯＨＰシートの給紙口を給紙カセット２５、２６、２７のいずれかに設定しても良い。ただしＯＨＰ給紙口と合紙給紙口が同一の給紙口（カセットもしくは手差しトレイ）となることはない。
【００３８】
つぎに（２）項のＯＨＰ合紙サイズを基準とした同サイズ用紙給紙選択機能について説明する。
【００３９】
一例として、ＯＨＰシートのセットできる給紙口を手差しトレイ２２とし、手差しトレイ２２にＯＨＰシートを縦方向（以下、Ａ４Ｒとする）にセットし、給紙カセット２５にＡ４用紙を横方向（Ａ４とする）にセット、給紙カセット２６にＡ４Ｒ、給紙カセット２７にＢ４をそれぞれセットしていたとする。ユーザーがＡＤＦ２に原稿Ａ４をセットした時点で、ＯＨＰ合紙モードを設定していなければ原稿サイズＡ４を基に同サイズのセットされている給紙カセット２５をコピー用給紙口として選択する。この後、コントロールパネル３６上のＯＨＰ合紙モード用の操作キー３９を操作してＯＨＰ合紙モードにすると、図４に示すフローチャートを実行することによりＯＨＰシート、すなわち手差しサイズを基にして手差しサイズと同じサイズの用紙のある給紙カセット２６をＯＨＰ合紙給紙口として自動選択される。
【００４０】
（３）項の給紙口指定情報リセット機能について説明する。通常コントロールパネル３６上の表示部４９は設定状態を表示している。電源投入後、コピー可能状態になっているときは、複写装置自体が選択した給紙口を表示する。
【００４１】
ユーザーがその給紙口以外の給紙口からコピーしたいとき、ユーザーは給紙口選択キー３８により給紙口を指定する。この指定情報は保持し続け、給紙口選択キー３８により他の給紙口を指定するまで変わらない。しかしながらリセットキー４０を押すとこの給紙口指定情報はリセットされ初期状態、すなわち前記電源投入後コピー可能状態になっているときと同じ複写装置事体が選択した給紙口を表示するようになる。これはリセットキー４０を押すと給紙口指定情報リセット機能が働いた結果、複写装置自体が給紙口を選択して表示しているのである。
【００４２】
（４）項の優先給紙口選択機能について説明する。一例として、給紙口優先順位を手差しトレイ２２、給紙カセット２５、２６、２７の順とし、用紙有りの給紙口を優先し、ＯＨＰシートのセットできる給紙口を手差しトレイ２２とし、手差しトレイ２２にＯＨＰシートをＡ４Ｒにセットし、給紙カセット２６、２７に用紙Ａ４Ｒをそれぞれセットし、給紙カセット２５は用紙サイズＡ４Ｒで用紙無しとする。このときの優先給紙口選択機能は図５に示すフローチャートを実行することにより実現される。この場合、給紙口２５は用紙無しなので優先順位は最も高いが非該当となり、次に優先度の高い給紙口２６が自動選択される。
【００４３】
（５）項の複数の給紙口優先順設定並びにこの設定を記憶する機能について説明する。ＯＨＰシートをセットする給紙口を手差しトレイ２２と設定し、この手差しトレイを含め全ての給紙カセットをＡ４Ｒ用紙有りとしたとき、合紙給紙口を自動的に決定するロジックとして本実施例では次の３つの給紙口優先順設定をプログラムとして組み込んでいる。
１）、給紙口優先順を給紙口２５、給紙口２６、給紙口２７、給紙口２２の順に設定。
２）、給紙口優先順を給紙口２２、給紙口２５、給紙口２６、給紙口２７の順に設定。
３）、給紙口優先順を給紙口２７、給紙口２６、給紙口２５、給紙口２２の順に設定。
【００４４】
この３つの優先順決定プログラムは各々独立したモジュールとして具備してあり、図６のようにユーザーがコントロールパネル３６上の所定のキー操作により所望の優先順のモジュールを選定する事ができるようにしている。この操作は次のような手順である。
【００４５】
まず、ユーザーモードキー４５を押す。すると表示器４８にＣ００と表示し、上記のモード設定状態になったということを示す。次にズームアップキー４３、およびダウンキー４４により機能切換操作を行う。給紙優先順設定項目はＣ８４であり、このズームアップキー４３およびダウンキー４４により数値８４となるようにする。そのあとスタートキー３７を押す。すると現在の給紙優先順を示す数値が表示器４８に表示される。そしてここでテンキー４１で所望の給紙口優先順を上記３つの給紙口優先順設定から選びスタートキー３７を押す。そののちユーザーモードキー４５を押して通常状態、すなわち設定枚数表示状態に戻す。
【００４６】
以上の操作手順で給紙口優先順が設定記憶される。この設定をしておくことにより、ＯＨＰ合紙モード機能を行う際、設定記憶情報を基に図７に示すフローチャートの内容を実行することによりユーザーの所望する給紙口を合紙口として自動的に優先選択する。
【００４７】
（６）項の自動選択禁止給紙口設定機能について説明する。この実施例は給紙カセット２５、２６を禁止給紙口としたときの自動給紙口選択機能動作で、このロジックを図８にフローチャートで示す。例えば給紙口２５のみが自動選択禁止給紙口に設定されていると、次段の給紙口２６が選択される。給紙口２５と２６が禁止されているとその次の給紙口２７が選択されるようになっている。
【００４８】
機能はユーザーによって特定の給紙口に特殊紙等がセットされている場合、従来のような用紙サイズが一致し、用紙有りであればその給紙口を選ぶという自動給紙口選択機能のみでは優先度の高い給紙口に特殊紙等がセットされている場合、普通紙より値段の高い特殊紙を誤って使用する恐れがあるため、これを回避するための機能である。本実施例ではバックアップメモリ（不揮発性メモリ）に自動選択禁止給紙口情報を記憶させ、自動給紙口選択機能実行時に記憶情報を参照して該当給紙口をスキップするロジックを組み込むことで実現している。
【００４９】
（７）項のコピー中の自動給紙口切り換え機能とは、複数の給紙カセットや手差しトレイよりなる給紙口を有し、その中で２つ以上の給紙口が同じ用紙サイズである場合、最初に指定された給紙口の用紙が連続コピー中に無くなった場合にコピー停止することなしに、他の同じ用紙サイズの給紙口を自動選択して設定枚数のコピーを継続して行うようにする機能であり、従来からある機能である。
【００５０】
（８）項のＯＨＰ合紙モード時における優先給紙口選択機能との組み合わせにより実現される自動合紙給紙口選択機能は、ＯＨＰをセットする給紙口は本実施例では手差しトレイ２２としている。すると手差しトレイ２２を除いて合紙給紙口を優先給紙口選択にしたがって選択するというものである。
【００５１】
（９）項のＯＨＰ合紙モード時における複数の給紙口優先順設定／記憶機能の組み合わせにより実現される自動合紙給紙口選択機能は、ＯＨＰをセットする給紙口は本実施例では手差しトレイ２２としている。すると上記複数の給紙口優先順の中から手差しトレイ２２を外して給紙口優先順が設定されるというものである。
【００５２】
（１０）項のＯＨＰ合紙モード時における自動選択禁止給紙口設定機能との組み合わせにより実現される自動合紙給紙口選択機能は、ＯＨＰをセットする給紙口として本実施例では手差しトレイ２２と、自動選択禁止給紙口設定機能により設定された自動選択禁止給紙口とを除いた残りの給紙口の中からＯＨＰ合紙用給紙口を自動選択するというものである。
【００５３】
（１１）項のＯＨＰ合紙モード時におけるコピー中の自動給紙口切換え機能との組み合わせにより実現される自動合紙給紙口選択機能は、ＯＨＰ合紙コピー中に給紙している給紙口に用紙がなくなったとき、同サイズの用紙が入っている給紙口を、ＯＨＰをセットする給紙口すにわち本実施例では手差しトレイ２２を除き、他の給紙口の中から自動的に合紙給紙口を選択してコピーを途切れさせることなく行うようにするというものである。
【００５４】
（１２）項のＯＨＰ合紙機能設定状態中の、キー操作による所定の給紙口選択禁止機能について説明する。図３において給紙口選択キー３８はコピ−に用いる用紙の入っている給紙カセットすなわち給紙口を選択するためのキーである。通常はこのキーを押す度に給紙口は、給紙口２５、２６、２７、手差しトレイ２２の順に選択を行う。この選択機能の実現方法を図９のフローチャートに示す。
【００５５】
本発明におけるＯＨＰ合紙機能設定状態中の給紙口選択キー３８の操作による所定の給紙口選択禁止機能の実施例を図１０に示す。この実施例では上記した選択順の給紙口が、順に選択禁止段になっているか否かを判別し、禁止になっていれば次の給紙口が選択禁止段になっているか否かを判別して行き、禁止になっていなければこの給紙口を選択する。もしこれも禁止になっていればさらに次の給紙口を判別しに行く。
【００５６】
（１３）項のＯＨＰシートをレジストローラから送出し排出されるまでの間に、合紙用紙を合紙用紙トレイから給紙を行う、もしくは合紙用紙をレジストローラから送出し排出されるまでの間にＯＨＰシートの給紙を行う機能について説明する。本発明は図１１に示すように、先に送り出した用紙やＯＨＰシートがレジストセンサ３５を抜けた時点で次に給紙するＯＨＰシートや用紙を給紙するようなロジックとしている。すなわち、請求項１に関する発明は前述した機能（１）、（２）、（３）、（４）、（５）、（６）、（７）、（８）、（９）、（１０）、（１１）、（１２）項に記載した内容の組み合わせで達成できる。これによりユーザーはＯＨＰ合紙機能を使用する場合に、合紙用紙トレイを自動選択して煩わしい操作を排すると共に、故意に合紙用紙トレイを指定したいというユーザーの要望にも応えることができ、合紙用紙トレイはＯＨＰシートをセットするトレイ以外の全ての給紙口を使用することができる。
【００５７】
予めユーザーが希望する給紙口優先選択順を設定しておくことで、ユーザーはＯＨＰシートをセットし合紙機能を指定するだけで、自動的にＯＨＰシートと同サイズの用紙が入っている所望の合紙給紙口が優先選択順に従って選択されるという作用を有するので、あとは動作開始指示するだけといった簡単な操作ですむようになる。また従来の合紙用紙のサイズがＯＨＰシートと異なっていると動作開始操作が禁止されるという煩わしさを解消することができる。
【００５８】
また、カラー紙や厚紙といった特殊紙の入っている給紙口を自動的に選択することを禁止する手段により、ＯＨＰ合紙機能を指定した際に、実行される前記自動合紙給紙口選択機能は普通紙の入っている給紙口からのみＯＨＰシートと同サイズの用紙が入っている合紙給紙口を選択設定するので、ユーザーは面倒な給紙口用紙サイズ並びに用紙の種類等の煩わしい考慮をする必要なしに誤って希望しない用紙を合紙として用いるといった不具合を防止することができる。
【００５９】
さらに、指定された合紙給紙口の用紙が無くなってもコピー動作を中断することを防止することができるし、複数のユーザーが本発明の装置を用いるときに前に使用していたユーザーが指定していた給紙口を、次に使用するユーザーが誤って設定されたままで不本意なコピーを取ってしまうことをも防止することができる。さらには前述したＯＨＰ合紙機能を指定した後からこの機能をリセットするまでの期間は、前記ＯＨＰシートをセットすることができる給紙口は、給紙口選択入力手段では選択できない様にすることで合紙用紙にＯＨＰシートを使用してしまうといった不都合を回避することができる。
【００６０】
また（１３）項を組み合わせることで、上記ＯＨＰ合紙機能によるコピー動作において合紙用紙サイズがＯＨＰシートのサイズと異なっている指定をしていた場合に、ＯＨＰシートをレジストローラから送出し排出されるまでの間に合紙用紙を給紙する、もしくは合紙用紙をレジストローラから送出し排出されるまでの間に、ＯＨＰシートの給紙を行う。
【００６１】
したがって、レジストローラから排出口間距離／用紙搬送速度のＯＨＰ合紙コピーの時間が短縮できる。
【００６２】
【発明の効果】
以上詳述しましたように本発明は、上記ＯＨＰ合紙機能によるコピー動作において、合紙用紙サイズがＯＨＰシートのサイズと異なっている指定をしていた場合、ＯＨＰシートをレジストローラから送出し排出されるまでの間に、合紙用紙を給紙する、もしくは合紙用紙をレジストローラから送出し排出されるまでの間に、ＯＨＰシートの給紙を行うようにしたことにより、レジストローラから排出口間距離／用紙搬送速度のＯＨＰ合紙コピーの時間が短縮できるといったような多くの効果が得られる。
【図面の簡単な説明】
【図１】本発明の複写機の斜視図
【図２】本発明の複写機の断面図
【図３】本発明の複写機のコントロールパネルの平面図
【図４】ＯＨＰ合紙サイズを基準とした同サイズ用紙給紙選択機能を説明するためのフローチャート
【図５】優先給紙口選択機能を説明するためのフローチャート
【図６】複数の給紙口優先順設定／記憶機能を説明するためのフローチャート
【図７】ＯＨＰ合紙モード時における複数の給紙口優先順設定／記憶機能の組み合わせにより実現される自動合紙給紙口選択機能を説明するためのフローチャート
【図８】ＯＨＰ合紙モード時における自動選択禁止給紙口設定機能との組み合わせにより実現される自動合紙給紙口選択機能を説明するためのフローチャート
【図９】キー操作による所定の給紙口選択禁止機能を説明するためのフローチャート
【図１０】ＯＨＰ合紙機能設定状態中の、キー操作による所定の給紙口選択禁止機能を説明するためのフローチャート
【図１１】ＯＨＰシートをレジストローラから送出し排出されるまでの間に、合紙用紙を合紙用紙トレイから給紙を行う、もしくは合紙用紙をレジストローラから送出し排出されるまでの間に、ＯＨＰシートの給紙を行う動作を説明するためのフローチャート
【図１２】従来のＯＨＰ合紙モードコピー動作を説明するためのフローチャート
【符号の説明】
１  複写機本体
２  ＡＤＦ
３  コントロールパネル
４  排紙トレイ
５  原稿トレイ
７  感光ドラム
１０  現像ユニット
１３  クリーニングブレード
１４  光学ユニット部
２０  定着器
２２  手差しトレイ
２４  レジストローラ
２５  給紙カセット
２６  給紙カセット
２７  給紙カセット
３４  手差しサイズ検出センサ
３５  レジストセンサ
３６  コントロールパネル
３７  スタートキー
３８  給紙口選択キー
３９  ＯＨＰ合紙モード機能を選択する操作キー
４０  リセットキー
４１  テンキー
４２  クリアストップキー
４３  アップキー
４４  ダウンキー
４５  ユーザーモードキー
４６  原稿サイズ設定キー
４７  用紙サイズ設定キー
４８  表示器
４９  表示部
【図１】
0003924886.tif 000002
【図２】
0003924886.tif 000003
【図３】
0003924886.tif 000004
【図４】
0003924886.tif 000005
【図５】
0003924886.tif 000006
【図６】
0003924886.tif 000007
【図７】
0003924886.tif 000008
【図８】
0003924886.tif 000009
【図９】
0003924886.tif 000010
【図１０】
0003924886.tif 000011
【図１１】
0003924886.tif 000012
【図１２】
0003924886.tif 000013